(57)【要約】【課題】ノズル部の先端吐出孔を簡便に取替えでき、メンテナンス性やコスト性に秀れる画期的な薄膜塗布装置のノズル構造を提供する。【解決手段】塗工液２をスリット状の先端吐出孔１ａから吐出するノズル部１を有する薄膜塗布装置のノズル構造であって、前記ノズル部１は、液供給部ｓと連通するノズル内液通路４を有するノズル基体部１Ａの先端に、このノズル内液通路４と連通するスリット状の前記先端吐出孔１ａを構成する一対の分割先端部材５，６を互いに対向面部５ａ，６ａを微小な間隙をおいて対向状態にして且つノズル基体部１Ａに対して着脱自在に設けた構成とし、この一対の分割先端部材５，６の対向面部５ａ，６ａ間の微小間隙を前記ノズル内液通路４と連通するノズル先端側液通路７とし、この対向面部５ａ，６ａ間の微小間隙の先端にしてノズル先端側液通路７の先端を前記先端吐出孔１ａとして構成する。【選択図】図２
2008012391.tif 000002
【特許請求の範囲】
【請求項１】
液供給部から供給された塗工液をスリット状の先端吐出孔から吐出するノズル部を有し、このノズル部の先端吐出孔から塗工液を吐出しながら、このノズル部の液吐出方向側に位置する被塗布体とこのノズル部とを相対移動させることで前記被塗布体に塗工液を薄膜状に塗布するように構成した薄膜塗布装置のノズル構造であって、前記ノズル部は、前記液供給部と連通するノズル内液通路を有するノズル基体部の先端に、このノズル内液通路と連通するスリット状の前記先端吐出孔を構成する一対の分割先端部材を互いに対向面部を微小な間隙をおいて対向状態にして且つノズル基体部に対して着脱自在に設けた構成とし、この一対の分割先端部材の対向面部間の微小間隙を前記ノズル内液通路と連通するノズル先端側液通路とすると共に、この対向面部間の微小間隙の先端にしてノズル先端側液通路の先端を前記先端吐出孔として構成したことを特徴とする薄膜塗布装置のノズル構造。
【請求項２】
前記一対の分割先端部材夫々を位置決め当接する位置決め段部を前記ノズル部のノズル基体部の先端側に形成し、この各位置決め段部に各分割先端部材を位置決め当接した状態で、固定手段によりこの各分割先端部材を各位置決め段部に着脱自在に位置決め固定した構成としたことを特徴とする請求項１記載の薄膜塗布装置のノズル構造。
【請求項３】
前記分割先端部材を位置決め当接する前記位置決め段部の当接受け面のうち、前記分割先端部材の対向面部の対向方向にこの分割先端部材を受ける当接受け面と、この分割先端部材との間に介存板材を介存配設し、この介存板材の板厚に応じて前記一対の分割先端部材の対向面部間の対向間隙を拡狭調整自在に構成したことを特徴とする請求項２記載の薄膜塗布装置のノズル構造。
【発明の詳細な説明】
【技術分野】
【０００１】
本発明は、被塗布体に塗工液を薄膜状に塗布する薄膜塗布装置のノズル構造に関するものである。
【背景技術】
【０００２】
被塗布体に塗工液を塗布する装置として、例えば、ダイコーターと呼ばれる薄膜塗布装置がある。
【０００３】
これは、例えば特開平０８−２４３４７６号公報に開示されているように、液供給部からノズル部に供給された塗工液をこのノズル部のスリット状の先端吐出孔から連続的に吐出しつつ、このノズル部の液吐出方向側に位置する被塗布体をこのノズル部に対して相対移動させることによりこの被塗布体に塗工液を薄膜状に塗布するように構成したもので、例えば、被塗布体の表面コーティングや、薄膜フィルムの製造など、種々の用途で使用されるものである。
【０００４】
【特許文献１】特開平０８−２４３４７６号公報
【発明の開示】
【発明が解決しようとする課題】
【０００５】
ところで、この種の薄膜塗布装置は、その構造上、ノズル部のスリット状の先端吐出孔のスリット幅が変化すると、これに伴ってノズル部からの液吐出量が変化し、ひいては、被塗布体に塗布された塗工液の膜厚が変化する。
【０００６】
従って、例えばノズル部の先端に物が当たったりしてこのノズル部の先端吐出孔の形状が僅かにでも変形してしまうと、これに伴って塗工液の膜厚が微小に変化してしまう。
【０００７】
この種の膜厚塗布装置は、例えば数μｍオーダといった極めて高い膜厚精度を要求される装置である為、たとえ微小な変化であったとしても、上記先端吐出孔の変形による膜厚の微小な変化は、この薄膜塗布装置にとって致命的な欠陥となってしまう。
【０００８】
そこで従来は、ノズル部に物が接触したりしてこのノズル部の先端吐出孔の形状が変形してしまった場合には、その都度このノズル部を一々新しいものと交換していた為、このノズル部の交換作業が非常に面倒（一般に、金属製にして数メートルにも及ぶ横長形状のノズル部は、数人掛かりで支持しながら交換作業を行わなければならず、それだけ多くの人手や手間を要する。）なだけでなく、ノズル部一体あたりの価格が非常に高価である為、ノズル部の交換の度に甚大なコストがかかるなど作業面やコスト面で大きな問題を有し、これがこの種の薄膜塗布装置におけるランニングコストやメンテナンス費用の高騰を招いていた。
【０００９】
尚、この変形したノズル部の先端吐出孔を再加工（寸法出し）して、変形以前の形状に戻すことができれば上記のノズル部の交換を行わずに済むが、しかし、高い精度が要求されるこの種の薄膜塗布装置において、一度変形してしまったノズル部の先端吐出孔の形状を元に戻すことは加工上極めて困難で、それだけ多大な手間と時間とを要しながら、結局、狙い通りの寸法に完全に戻せない（寸法再現性に問題がある）など実用上の問題点を有することから殆ど実施されることはなく、やはり、変形してしまったノズル部は新しいものと交換しているのが現状である。
【００１０】
本発明は、上述のような問題点に鑑みて完成したものであって、薄膜塗布装置のノズル部を、液供給部と連通するノズル内液通路を有するノズル基体部の先端に、先端吐出孔を構成する一対の分割先端部材を着脱自在に設けて成る構成とすることで、ノズル部の先端の分割先端部材の取り替えによりノズル部の先端吐出孔の取り替えが可能とし、これにより、仮に先端吐出孔が変形してしまった場合にも、従来例のように一々ノズル部を丸ごと一体交換する必要はなく、単に分割先端部材の取り替え（先端吐出孔の取り替え）だけで先端吐出孔の形状を修正でき、それだけ（持ち運びや取り扱いがラクで）交換作業を簡単に作業効率良く行えるうえに交換部品のコストも抑えることができ、よって、作業性及びコスト性に秀れランニングコストやメンテナンス費用の削減を確実に図り得、併せてノズル部を丸ごと一体交換・破棄せずに済むから環境面にも秀れたこれまでにない画期的で実用性に秀れた薄膜塗布装置のノズル構造を提供することを課題とする。
【課題を解決するための手段】
【００１１】
添付図面を参照して本発明の要旨を説明する。
【００１２】
液供給部ｓから供給された塗工液２をスリット状の先端吐出孔１ａから吐出するノズル部１を有し、このノズル部１の先端吐出孔１ａから塗工液２を吐出しながら、このノズル部１の液吐出方向側に位置する被塗布体３とこのノズル部１とを相対移動させることで前記被塗布体３に塗工液２を薄膜状に塗布するように構成した薄膜塗布装置のノズル構造であって、前記ノズル部１は、前記液供給部ｓと連通するノズル内液通路４を有するノズル基体部１Ａの先端に、このノズル内液通路４と連通するスリット状の前記先端吐出孔１ａを構成する一対の分割先端部材５，６を互いに対向面部５ａ，６ａを微小な間隙をおいて対向状態にして且つノズル基体部１Ａに対して着脱自在に設けた構成とし、この一対の分割先端部材５，６の対向面部５ａ，６ａ間の微小間隙を前記ノズル内液通路４と連通するノズル先端側液通路７とすると共に、この対向面部５ａ，６ａ間の微小間隙の先端にしてノズル先端側液通路７の先端を前記先端吐出孔１ａとして構成したことを特徴とする薄膜塗布装置のノズル構造に係るものである。
【００１３】
また、前記一対の分割先端部材５，６夫々を位置決め当接する位置決め段部８を前記ノズル部１のノズル基体部１Ａの先端側に形成し、この各位置決め段部８に各分割先端部材５，６を位置決め当接した状態で、固定手段Ｌによりこの各分割先端部材５，６を各位置決め段部８に着脱自在に位置決め固定した構成としたことを特徴とする請求項１記載の薄膜塗布装置のノズル構造に係るものである。
【００１４】
また、前記分割先端部材５，６を位置決め当接する前記位置決め段部８の当接受け面８ａのうち、前記分割先端部材５，６の対向面部５ａ，６ａの対向方向にこの分割先端部材５，６を受ける当接受け面８ａと、この分割先端部材５，６との間に介存板材９を介存配設し、この介存板材９の板厚に応じて前記一対の分割先端部材５，６の対向面部５ａ，６ａ間の対向間隙を拡狭調整自在に構成したことを特徴とする請求項２記載の薄膜塗布装置のノズル構造に係るものである。
【発明の効果】
【００１５】
本発明は上述のように構成したから、例えば、ノズル部の先端吐出孔が不意に変形してしまった場合にも、従来例のようにこのノズル部を丸ごと一体交換するのではなく、このノズル部のノズル基体部の先端に着脱自在に設けた分割先端部材を取り替えるだけでノズル部の先端吐出孔の形状の修正を達成できる。
【００１６】
即ち、本発明はノズル部の先端に着脱自在に設ける分割先端部材の取り替えにより、このノズル部の先端吐出孔の取り替えが行えるので、ノズル部の先端吐出孔に変形などの不具合が生じて取り替えを余儀なくされた場合にも、ノズル部を丸ごと一体交換する従来手法に比べて分割先端部材だけの取り替えで済み簡単に作業効率良く取り替え作業が行え、また、交換部品のコストもノズル部一体丸ごとに比べて少なく抑えることが可能で、更に、例えばノズル部の先端吐出孔の付近の液通路（ノズル先端側液通路）の液との接触面（つまり先端分割部材の対向面部）を磨き直したりする場合のメンテナンス作業も、この先端分割部材をノズル部の先端から取り外して簡単に行えるなど、作業性及びコスト性に極めて秀れランニングコストやメンテナンス費用の削減を確実に図り得、併せてノズル部を丸ごと一体交換・破棄せずに済むのでそれだけ環境面にも秀れるなど、画期的で実用性に秀れた薄膜塗布装置のノズル構造となる。
【００１７】
また、請求項２記載の発明においては、ノズル基体部の先端側に形成した位置決め段部の段部底面や、この段部底面の端部の立ち上がり面（若しくは立ち下がり面）などの複数の面（当接受け面）に分割先端部材を位置決め当接させた上で適宜な固定手段により固定することができるので、分割先端部材を一層簡単に、しかも適切な位置に確実に位置決めた状態でノズル基体部に固定でき、よって、ノズル部の先端吐出孔の取り替え作業を一層簡単且つ良好に行える実用性に秀れた薄膜塗布装置のノズル構造となる。
【００１８】
また、請求項３記載の発明においては、分割先端部材と、ノズル基体部の位置決め段部の当接受け面との間に介存配設する介存板材の板厚調整により、一対の分割先端部材の対向面部間の対向間隙の拡狭調整、即ちノズル部のスリット状の先端吐出孔のスリット間隔の拡狭調整を行うことができる。
【００１９】
つまり、これまでは困難であったスリット状の先端吐出孔のスリット間隔の微量調整（オーダが小さく精度良い調整が非常に難しかった。）を、本発明においては、介存板材の板厚調整で簡単且つ精度良く達成することができ、しかも、この介存板材は塗工液と接触することのない位置に介存配設されるので、例えば液接触による腐食などの心配がなく、また介存板材が液で濡れることがないぶん、この介存板材を取り替えたりするメンテナンス作業もそれだけ作業性良く進展できる。
【００２０】
よって、介存板材によるスリット間隔の微量調整によりスリット状の先端吐出孔のスリット幅を調整し様々な膜厚の薄膜塗布に良好に対応できると共に、メンテナンスなどの作業性秀れるなど、一層実用性及び作業性に秀れた薄膜塗布装置のノズル構造となる。
【発明を実施するための最良の形態】
【００２１】
好適と考える本発明の実施形態（発明をどのように実施するか）を、図面に基づいて本発明の作用を示して簡単に説明する。
【００２２】
ノズル部１は、前記液供給部ｓと連通するノズル内液通路４を有するノズル基体部１Ａの先端に、このノズル内液通路４と連通するスリット状の前記先端吐出孔１ａを構成する一対の分割先端部材５，６を着脱自在に設けて成る構成としている。
【００２３】
このノズル基体部１Ａの先端に着脱自在に設けた一対の分割先端部材５，６は、互いに対向面部５ａ，６ａを微小な間隙をおいて対向状態に設けており、その対向面部５ａ，６ａ間の微小間隙を、前記ノズル基体部１Ａのノズル内液通路４と連通するノズル先端側液通路７として構成し、更にこの対向面部５ａ，６ａ間の微小間隙の先端、つまりノズル先端側液通路７の先端をスリット状の前記先端吐出孔１ａとして構成している。
【００２４】
従って、塗工液２の薄膜塗布を行う際、液供給部ｓから供給される塗工液２は、ノズル部１のノズル基体部１Ａのノズル内液通路４を流通し、このノズル内液通路４と連通する前記一対の分割先端部材５，６の対向面部５ａ，６ａ間の微小間隙、即ちノズル先端側液通路７へと導入され、このノズル先端側液通路７の先端のスリット状の先端吐出孔１ａから吐出されることとなる。
【００２５】
また、本発明では、上記の通りノズル部１の先端吐出孔１ａを、ノズル基体部１Ａの先端部に設けた一対の分割先端部材５，６により構成している。故に、この一対の分割先端部材５，６を夫々ノズル基体部１Ａから自由に取り外し（脱着）可能である。
【００２６】
従って、本発明では、例えばノズル部１の先端吐出孔１ａに変形などの不具合が生じた場合には、ノズル部１を一体丸ごと装置から取り外して新しいものと取り替える必要はなく、単にこのノズル部１の先端の分割先端部材５，６を取り替えることによりノズル部１の先端吐出孔１ａの取り替えが可能となる。また、例えばノズル部１の先端吐出孔１ａの近辺の液通路（即ちノズル先端側液通路）の液接触面に磨きを掛けたい場合には、ノズル部１の先端の分割先端部材５，６を取り外してこの各分割先端部材５，６の対向面部５ａ，６ａ夫々に磨きを掛けることでこのノズル部１の先端吐出孔１ａの近辺の液通路の液接触免の表面仕上げを良好に行えることとなる。
【００２７】
よって、本発明は、ノズル部１の先端吐出孔１ａを簡単且つ低コストに交換でき、加えてノズル部１の種々のメンテナンス作業なども良好に行えるなどの作業性及びコスト性に秀れたノズル構造となり、ひいては、この種の薄膜塗布装置におけるランニングコストやメンテナンス費用の削減を確実に図り得ることとなる。
【００２８】
尚、例えば、一対の分割先端部材５，６夫々を位置決め当接する位置決め段部８を前記ノズル部１のノズル基体部１Ａの先端側に形成し、この各位置決め段部８に各分割先端部材５，６を位置決め当接した状態で、固定手段Ｌによりこの各分割先端部材５，６を各位置決め段部８に着脱自在に位置決め固定した構成とした場合には、分割先端部材５，６を夫々位置決め段部８に位置決めた上で適宜な固定手段Ｌによりノズル基体部１Ａの先端部に固定できることとなるので、ノズル基体部１Ａに対して微妙な取り付け位置のズレも許容されないこの種の（高い寸法精度が要求される）薄膜塗布装置において、各分割先端部材５，６をノズル基体部１Ａの所定の位置に的確に位置決めして固定できるなど、一層作業性及び実用性に秀れることとなる。
【００２９】
特に、例えば位置決め段部８の分割先端部材５，６を位置決め当接する当接受け面８ａと、分割先端部材５，６との間に介存板材９を介存配設し、この介存板材９の板厚に応じて前記一対の分割先端部材５，６の対向面部５ａ，６ａ間の対向間隙を拡狭調整することも可能となる。即ち、例えば分割先端部材５，６の対向面部５ａ，６ａと平行な前記位置決め段部８の当接受け面８のように、位置決め段部８の複数の当接受け面８のうち前記分割先端部材５，６の対向面部５ａ，６ａの対向方向にこの分割先端部材５，６を受ける当接受け面８ａと、分割先端部材５，６との間に、所定板厚の介存板材９を介存配設すると、この介存板材９の板厚のぶんだけ分割先端部材５，６の対向面部５ａ，６ａ同志が互いに離間方向に位置ズレすることとなり、これにより分割先端部材５，６の対向面部５ａ，６ａ間の対向間隔、ひいては、ノズル部１のスリット状の先端吐出孔１ａのスリット間隔を介存板材９の板厚に応じて簡単に精度良く微量調整するといったことも可能となる。
【実施例】
【００３０】
本発明の具体的な実施例について図面に基づいて説明する。
【００３１】
本実施例は、液供給部ｓから供給された塗工液２をノズル部１のスリット状の先端吐出孔１ａから吐出しながら、このノズル部１の液吐出側に位置する被塗布体３と、このノズル部１とを相対移動させることでこの被塗布体３に塗工液２を薄膜状に塗布する薄膜塗布装置のノズル構造に係るものである。
【００３２】
本実施例のノズル部１は、図１に図示したように、前記液供給部ｓと連通するノズル内液通路４を有するノズル基体部１Ａの先端に、このノズル内液通路４と連通するスリット状の前記先端吐出孔１ａを構成する一対の分割先端部材５，６を互いに対向面部５ａ，６ａを微小な間隙をおいて対向状態にして且つノズル基体部１Ａに対して着脱自在に設けた構成とし、この一対の分割先端部材５，６の対向面部５ａ，６ａ間の微小間隙を前記ノズル内液通路４と連通するノズル先端側液通路７とすると共に、この対向面部５ａ，６ａ間の微小間隙の先端にしてノズル先端側液通路７の先端を前記先端吐出孔１ａとして構成したものである。
【００３３】
各部を具体的に詳述すると、ノズル基体部１Ａは、図１に図示したように、一対のノズル半体１ＡＡ，１ＡＢを重合連結して成る構成とする。
【００３４】
また、この一対のノズル半体１ＡＡ，１ＡＢのうち一方（図１中、下方）のノズル半体１ＡＢには、前記液供給部ｓの供給用管10を連通接続する液導入路11を形成し、この液導入路11の下流側にして先端側（図１中、左端側）に液溜部12を形成し、更に、この液溜め部12を介して基端側（図１中、右側）にして前記一対のノズル半体１ＡＡ，１ＡＢ間に挟まれるようにしてシム13ａ（薄板状のスペーサ）を介存配設することでこの一対のノズル半体１ＡＡ，１ＡＢ間にして前記液溜部12より先端側に微小間隙を形成してこの間隙を是前記液溜部12と連通する間隙液通路13として構成する。
【００３５】
従って、この重合（シム13ａを介して重合）連結する一対のノズル半体１ＡＡ，１ＡＢから成るノズル基体部１Ａは、液導入路11，液溜部12及び間隙液通路13によってノズル内液通路４を構成し、前記液供給部ｓの供給用管10から供給された塗工液２は、前記液導入路11を介して一旦液溜部12に溜まって整流（整圧）されて間隙液通路13から先端の前記ノズル先端側液通路７へと導入される。
【００３６】
尚、この種の薄膜塗布装置において、ノズル部１へと塗工液２を供給する液供給部ｓとしては様々な構造があり、図示した本実施例は、供給用管10からノズル部１へと供給する方式を採用しているが、このような液供給部ｓの構造の詳細な説明は、本発明の要旨と直接関係しないので省略する。
【００３７】
また、このノズル基体部１Ａの先端側には、一対の分割先端部材５，６夫々を位置決め当接する位置決め段部８を形成している。
【００３８】
この位置決め段部８は、図１及び図２に図示したように、ノズル基体部１Ａを構成する一対のノズル半体１ＡＡ，１ＡＢの各先端側に夫々設けたものであり、具体的には、このノズル基体部１Ａに固定する各分割先端部材５，６の対向面部５ａ，６ａに沿った（平行な）面方向に当接受け面８ａを形成し、この当接受け面８ａの基端側と先端側の両端側（図１中、左右両側）に直角に立ち上がり状態若しくは立ち下がり状態に当接受け面８ａを形成した構成としている。
【００３９】
また、この当接受け面８ａの前記立ち上がり状態若しくは立ち下がり状態の当接受け面８ａ間に形成した各分割先端部材５，６の対向面部５ａ，６ａに沿った面方向の当接受け面８ａの表面には、図２に図示したように、後述の固定手段Ｌの螺着杆15（止めボルト）が螺入する螺着溝14（雌ネジ溝）を複数形成している。
【００４０】
このノズル基体部１Ａの先端部に着脱自在に設ける分割先端部材５，６は、図１及び図２に図示したように、前記ノズル基体部１の各位置決め段部８夫々に形成した３面の当接受け面８ａに位置決め当接してこの位置決め段部８の段形状に合致する側断面視略Ｌ字状を呈する形状に形成している。
【００４１】
また、この各分割先端部材５，６は、図１及び図２に図示したように、後述の固定手段Ｌの螺着杆15（止めボルト）のボルト頭が当接する段部を有するボルト挿通孔16を、前記ノズル基体部１Ａの位置決め段部８の螺着溝14に対応する位置に夫々形成している。
【００４２】
本実施例は、この各分割先端部材５，６を位各位置決め段部８に置決め当接した状態で、固定手段Ｌによりこの各分割先端部材５，６を各位置決め段部８に着脱自在に位置決め固定した構成である。具体的には、各分割先端部材５，６をノズル基体部１Ａの先端側の各位置決め段部８の当接受け面８ａに受けさせ、この各分割先端部材５，６のボルト挿通孔16夫々に挿通した螺着杆15を、位置決め段部８の各螺着溝14に締め付け螺着することで各分割先端部材５，６をノズル基体部１Ａの先端側にこの分割先端部材５，６同士が近接する方向に締め付け固定する。
【００４３】
このようにノズル基体部１Ａの先端部に位置決め固定した各先端分割部材５，６は、その各先端側にして互いに対向する位置に対向面部５ａ，６ａを有し、この対向面部５ａ，６ａを微小間隙をおいて略並行に対向させるように構成している。
【００４４】
以上のように構成したノズル部１は、先端分割部材５，６をノズル基体部１の先端側に形成した位置決め段部８に位置決め当接した状態で前記螺着杆15を螺着することでノズル基体部１の所定の位置に的確に位置決めて取り付け固定でき、また、この螺着間15の螺脱によりノズル基体部１から簡単に取り外すこともできる。
【００４５】
また、図示した本実施例においては、各分割先端部材５，６を位置決め当接する前記位置決め段部８の当接受け面８ａのうち、前記分割先端部材５，６の対向面部５ａ，６ａの対向方向にこの分割先端部材５，６を受ける当接受け面８ａ（即ち、図１に図示したように立ち上がり状態若しくは立ち下がり状態に形成される当接受け面８ａ間にしてこの位置決め段部８に位置決めした分割先端部材５，６の対向面部５ａ，６ａと平行な面方向に形成される当接受け面８ａ）と、この分割先端部材５，６との間に介存板材９を介存配設している。
【００４６】
この介存板材９は、前記固定手段Ｌの螺着杆15が挿通する貫通孔17を複数形成した平板材であって、図２に図示したように分割先端部材５，６の横幅と略同等な長さを有する帯状に形成したものである。
【００４７】
従って、この介存板材９の板厚を厚く設定すれば一対の分割先端部材５，６の対向面部５ａ，６ａが前記介存板材９の板厚の分だけ互いに離間方向に位置がズレるから、この介存板材９の板厚調整により前記分割先端部材５，６の対向面部５ａ，６ａ間の対向間隙、即ちスリット状の先端吐出孔１ａのスリット間隔を拡狭調整できる。例えばボルトの締め付けなどによりノズル部１の先端部を撓み変形させて先端吐出口１ａのスリット間隔を調整するのは非常に困難（ボルトの締め調整では高い精度での調整が困難）であるが、本実施例は、単に一定板厚の薄板状の介存板材９を前記分割先端部材５，６と位置決め段部８との間に介存配設するだけで簡単に先端吐出孔１ａのスリット間隔の微量調整を行える。
【００４８】
この介存板材９は、図１に図示したノズル基体部１Ａのノズル半体１ＡＡ，１ＡＢ間に介存配設されるシム13ａとは異なり、塗工液２と接触しない位置に配設されるものであるから、液に濡れる心配はなく、また、例えば介存板材９を、図２に図示したように長尺な（分割先端部材５，６の幅と略同等な長さの）サイズに形成しなくとも、小さいサイズに形成した複数枚の介存板材９を所定間隔をあけて各分割先端部材５，６の幅方向に並設状態に介存配設することもできる（ノズル部１内の塗工液２が液漏れする心配はない）。
【００４９】
以上のように構成した本実施例に係る薄膜塗布装置は、ノズル基体部１Ａの先端部に着脱自在に設けた一対の分割先端部材５，６の対向面部５ａ，６ａ間に所望の微小間隙を形成して薄溝状のノズル先端側液通路７とスリット状の先端吐出孔１ａとを良好に形成することができるので、例えば、ノズル基体部１Ａは一対のノズル半体１ＡＡ，１ＡＢをシム13ａを介して重合連結した構成せず、液供給部ｓから供給された塗工液２を前記ノズル先端側液通路７へと導入するノズル内液通路４を有する一体形成品として構成することも設計実現可能である。
【００５０】
尚、図３は、本実施例に係る薄膜塗布装置の使用状態を示す図であり、詳述すると、液供給部ｓの供給用管10から供給される塗工液２は、ノズル部１のノズル基体部１Ａのノズル内液通路４（液導入路11，液溜部12及び間隙液通路13）を流通してこのノズル基体部１Ａの先端に固定された一対の分割先端部材５，６の対向面部５ａ，６ａ間の間隙にしてノズル先端側液通路７に導入されこのノズル先端側液通路７の先端のスリット状の先端吐出孔１ａから吐出される。同時に、このノズル部１の先端吐出孔１ａの液吐出方向側（図３中、左側）に位置する被塗布体３が、移動手段（搬送ローラ）によりこのノズル部１の先端吐出孔１ａのスリット長さ方向と直交する方向に相対移動される。これにより、ノズル部１の先端吐出孔１ａから吐出した塗工液２を被塗布体３に薄膜状に塗布する。
【００５１】
本実施例は、以上のように構成したから、図３に図示したように、被塗布体３に塗工液２を薄膜状に塗布できることは勿論、ノズル部１の先端に着脱自在に設ける分割先端部材５，６の取り替えにより、このノズル部１の先端吐出孔１ａの取り替えが可能で、従って、ノズル部１の先端吐出孔１ａが例えば変形するなどして破損してしまった場合に、ノズル部１を丸ごと一体交換するのではなく前記分割先端部材５，６だけのパーツ交換のみで済み、それだけ作業効率良く簡単に取り替え作業が可能なだけでなく、交換部品のコストもノズル部１一体丸ごとに比べて最小限に抑えることができ、また、先端吐出孔１ａの付近の液通路（ノズル先端側液通路７）の液との接触面（つまり先端分割部材５，６の対向面部５ａ，６ａ）のメンテナンス作業（磨き直しなど）も、各先端分割部材５，６をノズル基体部１Ａから取り外して簡便に行えるなど実用性に秀れ、この種の薄膜塗布装置に極めて好適なノズル構造となる。
【００５２】
また、本実施例では、上述のように介存板材９の簡単な取替え作業によりノズル部１の先端吐出孔１ａのスリット間隔の拡狭調整を行えるので、一組の分割先端部材５，６だけで様々なスリット間隔の先端吐出孔１ａを実現でき、また、介存板材９を使用せずに、例えば前記ノズル基体部１Ａの先端に取り付けた際の対向面部５ａ，６ａ間の対向間隔が異なる（先端吐出孔１ａのスリット間隔が異なる）複数組の分割先端部材５，６を予め用意しておき、使用用途に応じてこの複数組の分割先端部材５，６の中から一組を適宜付け替えて使用してもよく、このように様々な膜厚設定での薄膜塗布作業に対応した実用性に秀れた薄膜塗布装置を実現できる画期的なノズル構造となる。
【００５３】
尚、本発明は、本実施例に限られるものではなく、各構成要件の具体的構成は適宜設計し得るものである。
【図面の簡単な説明】
【００５４】
【図１】本実施例に係る薄膜塗布装置のノズル構造の説明側断面図である。
【図２】本実施例に係る薄膜塗布装置のノズル構造の説明分解斜視図である。
【図３】本実施例に係る薄膜塗布装置の使用状態を示す図である。
【符号の説明】
【００５５】
１  ノズル部
１Ａ  ノズル基体部
１ａ  先端吐出孔
２  塗工液
３  被塗布体
４  ノズル内液通路
５  分割先端部材
５ａ  対向面部
６  分割先端部材
６ａ  対向面部
７  ノズル先端側液通路
８  位置決め段部
８ａ  当接受け面
９  介存板材
Ｌ  固定手段
ｓ  液供給部
【図１】
2008012391.tif 000003
【図２】
2008012391.tif 000004
【図３】
2008012391.tif 000005